(57)【要約】【課題】  本発明の課題は、外壁面に凹凸のある、特に合成樹脂サイディングを使用した建物用の換気装置およびその取付方法を提供する。【解決手段】  本発明の建物用換気装置は、下地材に直接取り付けられる基台１と、この基台１に着脱自在に取り付けられる屋外フード２とからなり、基台１は、その中央に通気パイプ受入孔３を有するもので、基台１の高さが、サイディング材の見掛けの厚みとほぼ同じである。本発明の建物用換気装置の取付方法は、前記換気装置を使用し、基台１の通気パイプ受入孔３を建物から突出した通気パイプの開口部に嵌め入れ、基台の下地材取付板部を、建物の下地材に当接させて固定する工程と、基台１の上面部６の四隅近傍に立設した係止棒１４を利用して、網体および／または方向板を基台１に取付ける工程と、屋外フード２の基台取付枠板部８を基台１の立上り部５に合わせて嵌入する工程とからなる。【選択図】  図１
2007292369.tif 000002
【特許請求の範囲】
【請求項１】
下地材に直接取り付けられる基台と、この基台に着脱自在に取り付けられる屋外フードとからなり、基台は、その中央に通気パイプ受入孔を有することを特徴とする建物用換気装置。
【請求項２】
基台の高さが、サイディングの見掛けの厚みとほぼ同じである請求項１に記載の建物用換気装置。
【請求項３】
基台の通気パイプ受入孔を建物から突出した通気パイプの開口部に嵌め入れ、基台の下地材取付板部を、建物の下地材に当接させて固定する工程と、基台の上面部の四隅近傍に立設した係止棒を利用して、網体および／または方向板を基台に取付ける工程と、屋外フードの基台取付枠板部を基台の立上り部に合わせて嵌入する工程とからなる請求項１または請求項２記載の建物用換気装置の取付方法。
【発明の詳細な説明】
【技術分野】
【０００１】
本発明は、建物用の換気装置、特には合成樹脂サイディングを外装材に使用した建物用換気装置およびその取付方法に関する。
【背景技術】
【０００２】
従来、建物用の換気装置として、建物の外壁面に固定する基台と屋外フードが一体に構成された換気装置（特許文献１、特許文献２参照）や、基台（フランジ）と屋外フードが別体に構成され、建物の外壁面に固定した基台から屋外フードを着脱できる換気装置（特許文献３参照）が知られている。
【０００３】
上記従来の換気装置は、いずれも基台を建物の外壁面に取り付け固定するタイプであるため、建物の外壁面が硬質でフラットである場合には、基台と建物の外壁面との間に隙間が生じることなく、防水性および設置の安定性に優れ、見栄えよく取り付け固定できるが、建物の外壁面に凹凸がある場合には、基台と建物の外壁面との間に隙間が生じて防水性が損なわれ、見栄えも悪い。
【０００４】
近年、一般住宅用の外壁材には、図５に示すような合成樹脂サイディング２１を使用した外壁が多用されるようになってきている。
このような合成樹脂サイディングは、耐久性に優れ、塩害による錆や凍結融解によるひび割れもなく、また、目地にコーキングを必要とせず、撥水性、耐衝撃性に優れ、軽量で施工性も良好であることから、一般住宅の長寿命の外装化粧材として、新築もしくは既存壁のリフォームに使用されるようになってきている（例えば、特許文献４参照）。
【特許文献１】特許３１３５２０８号公報
【特許文献２】特開２００５−２９１５４７号公報
【特許文献３】特開２００３−２０２１４３号公報
【特許文献４】特開２０００−２４０２５６号公報
【発明の開示】
【発明が解決しようとする課題】
【０００５】
そこで、建物の外壁面に、図５に示す断面形状を有する合成樹脂サイディング２１を使用した場合において、この外壁面上に前記した従来の換気装置を取り付けて固定しようとすると、換気装置の基台と合成樹脂サイディング表面との間に部分的に大きな隙間ができてしまい、防水性が損なわれ、かつ見栄えが悪い。
また、前記隙間を埋めるためにコーキング処理を行なうと手間とコストがかかる上に、数年もたたないうちにコーキングがやせてひびが入ったり、埃や塵で汚れたりして補修が必要となり、さらには、コーキング処理をしてあると、メンテナンスのための着脱ができないという難点がある。
【０００６】
さらにまた、合成樹脂サイディングが軽量で弾力性があるため、サイディング上への設置の安定性が悪く、取り付け固定後、強風等による風圧で、合成樹脂サイディングが振れたりした場合には、固定された通気パイプとの取り付け部で摺れて、通気パイプと基台との接合部分を破損するなどして、通気パイプと基台との密封性を損なう事態も想定される。
【０００７】
本発明の課題は、前記した問題を解消できる、外壁面に凹凸のある、特に合成樹脂サイディングを使用した建築物用の換気装置およびその取付方法を提供することにある。
【課題を解決するための手段】
【０００８】
本発明の建物用換気装置は、下地材に直接取り付けられる基台と、この基台に着脱自在に取り付けられる屋外フードとからなり、基台は、その中央に通気パイプ受入孔を有する構成である。本発明の建物用換気装置は、基台の高さが、サイディング材の見掛けの厚みとほぼ同じであるのが好ましい。
また、本発明の建物用換気装置の取付方法は、前記した建物用換気装置の基台の通気パイプ受入孔を、建物から突出した通気パイプの開口部に嵌め入れ、基台の下地材取付板部を、建物の下地材に当接させて固定する工程と、基台の上面部の四隅近傍に立設した係止棒を利用して、網体および／または方向板を基台に取付ける工程と、屋外フードの基台取付枠板部を基台の立上り部に合わせて嵌入する工程とからなる。
【発明の効果】
【０００９】
本発明の建物用換気装置は、その基台を建物の下地材に直接取り付ける構成であるため設置の安定性に優れ、また、基台の底部が外観から見えず、屋外フード部が外壁面から一体状に突出した外観となるので、見栄えが良く、凹凸のある外壁面、特に合成樹脂サイディング材を利用した外壁面用の換気装置として最適である。
【発明を実施するための最良の形態】
【００１０】
以下、本発明の一実施の形態を、図に基づいて説明する。
図１は、本発明の建物用換気装置の基台と屋外フードの組み合わせを示す模式的斜視図であり、図２は、本発明の建物用換気装置の基台の一部を示す模式的な概略拡大断面図である。
図３は、本発明の建物用換気装置の基台に屋外フードを取り付ける前の状態を示す模式的な側面図であり、図４は、本発明の建物用換気装置の使用状態を示す模式的な概略断面図である。図５は、合成樹脂製サイディング材の一例を示す斜視図である。
【００１１】
図１に示すように、本発明の建物用換気装置は、基台１と、この基台１に着脱自在に取り付けられる屋外フード２とから構成されている。
基台１は、ほぼ正方形状の下地材取付板部４と、この下地材取付板部４の中心と中心を同じくする断面がほぼ正方形状の立上り部５と、この立上り部５の上面を覆う上面部６とからなり、上面部６の中央には、通気パイプを受け入れる通気パイプ受入孔３が形成されている。
【００１２】
屋外フード２は、ほぼ正方形状の枠板状カバー部７と、この枠板状カバー材７の中心と中心を同じくし基台側に立上り状に延びる、断面がほぼ正方形状の基台取付枠板部８（図３参照）と、枠板状カバー材７から反基台側に、換気の方向を横方向から下方向に変えるフード部９とからなる。
【００１３】
基台１の下地材取付板部４は、基台１を建物の柱や間柱、構造用合板，不燃材等の板、胴縁等の下地材に直接当接させて固定するためのもので、下地材取付板部４の四隅および一辺の中央部に設けられた取付孔１０、１０を利用して、基台１を下地材にネジ止め等で固定する。その際、基台１と下地材との間には、予め下地材を雨水から防水する防水シートや防水テープにて防水処理を施しておく。
【００１４】
基台１の上面部６の中央に設けられた通気パイプ受入孔３は、円筒状の通気パイプ保持部３'が下方に一体に延設されており、それらの内周面部が、建物の外壁を貫通する通気パイプ１２（図２参照）の端部外周面に密着できる大きさに成形され、建物の外壁に突出した通気パイプ１２の開口部に基台１の通気パイプ受入孔３を嵌め入れて、基台１の下地材取付板部４を下地材に当接させ、取付孔１０を利用してネジ止めすることにより、基台１と通気パイプ１２と下地材とが固定される。
【００１５】
通気パイプ受入孔３の開口端内周縁には、図１、２に示すように、断面が逆Ｌ字形の切欠部１１が周回状に形成されており、通気パイプ１２の開口端部に通気パイプ保持部３'およびこれに続く通気パイプ受入孔３を嵌入して、通気パイプ１２の開口端部外周面と切欠部１１との間に出来た溝１３に接着剤やシーリング剤等の接着材を充填することにより、基台１と通気パイプ１２が密着状に強固に固定することができる。
【００１６】
基台１の上面部６の四隅近傍には、係止棒１４がそれぞれ立設している。
この係止棒１４は、虫除け用に使用される網体や、空気の流れの方向を誘導する方向板を取り付けるためのもので、網体や方向板の四隅に設けた係止孔を、係止棒１４にそれぞれ差込み、基台１の通気パイプ受入孔３側に寄せて、屋外フード２を基台１に取り付けることにより、網体と方向板を通気パイプ１２の開口部に容易にセットすることができる。
【００１７】
基台１は、その高さが、合成樹脂サイディング２１（図４参照）の見掛けの厚みとほぼ同じに形成されているため、基台１を下地材２２に取り付け、合成樹脂サイディング２１を基台１の回りに配置した際、合成樹脂サイディング２１が基台１の高さよりも上方に突出することがない。
そのため、下地材２２に固定された基台１に屋外フード２を取り付けると、屋外フード２の枠板状カバー部７が、合成樹脂サイディング２１と基台１との境界部を覆うので、この境界部からの雨水の侵入を防ぐとともに見栄えを良くし、さらには、前記境界部における合成樹脂サイディング２１の端縁部を固定する効果も得られる。
【００１８】
基台１の立上り部５には、図１に示すように、屋外フード２の係着用の凸部１５が設けられるとともに、屋外フード２の基台取付枠板部８には、前記凸部１５の嵌入孔１６が設けられており、基台１への屋外フード２の取り付けは、屋外フード２の嵌入孔１６を基台１の係着用の凸部１５に嵌入するだけで、基台取付枠板部８の嵌入孔１６が基台１の立上り部５の凸部１５に係着されてロックされるので、取付けが容易に行なえる。
なお、図では、基台１の立上り部５に凸部１５を、屋外フード２の基台取付枠板部８に嵌入孔１６を設けたものを示したが、反対に屋外フード２の基台取付枠板部８に凸部を、基台１の立上り部５に嵌入孔を設けるようにしてもよい。
【００１９】
屋外フード２を基台１から外す場合には、屋外フード２の基台取付枠板部８にある嵌入孔１６の近傍を、外方に膨らませるようにして基台１の凸部１５から外して行なう。
屋外フード２の基台取付枠板部８には、嵌入孔１６の両側近傍に切欠孔１７が設けられ、基台１の凸部１５と屋外フード２の嵌入孔１６の着脱が容易に行なえるようになっている。
【００２０】
基台１の立上り部５の一辺には、中央に基台１の高さ方向に突条部１８が一体に設けられ、この突条部１８の頂面には、屋外フード２固定用のビス止め穴１９が設けられている。
基台１への屋外フード２の取り付けは、前記したように、屋外フード２にある嵌入孔１６を基台１の係着用の凸部１５に嵌入して行なうが、さらに、強固な取り付けを要する場合には、屋外フード２の対応する枠板状カバー部７の部位に孔をあけ、ビスをこの孔からビス止め孔１９にあてがい螺着させる。
なお、前記した屋外フード２の対応する枠板状カバー部７の部位には、予め孔を設けておいもよく、また枠板状カバー部７の部位の基台１側に、孔あけを容易にできる薄肉部を設けるようにしてもよい。
【００２１】
屋外フード２の下向きの開口部側にある枠板状カバー部７には、辺縁に沿って、下方に立上り状に傾斜する傾斜板２０が一体に形成されている。
この傾斜板２０は、屋外フード２の枠板状カバー部７の表面を伝わって流れ落ちてきた雨水や、フード部９内に吹き込んだ雨水あるいは通気パイプ、網体等に生じた結露水が、枠板状カバー部７の下辺縁から建物の外壁面に直接かからないようにするためのものであり、これにより、従来、換気装置直下の建物の外壁面に生じていた筋状汚れの発生を防止することができる。
【００２２】
なお、前記した本発明の一実施の形態では、基台１の下地材取付板部４および立上り部５、並びに屋外フード２の枠板状カバー部７および基台取付枠板部８は、それぞれ、ほぼ正方形状のものを示したが、これらに限定されるものではなく、円形、楕円形等、各種の形状のものやそれらの組み合わせた形状のものが採用できる。
【００２３】
本発明の換気装置を構成する基台１および屋外フード２は、合成樹脂製のものが一般に用いられるが、金属製等のものであってもよい。
また、基台１および屋外フード２は、建物の外壁色に合わせて選択できるように各種色合いに着色される。
【産業上の利用可能性】
【００２４】
本発明によれば、外壁面に凹凸のある外装材、特に合成樹脂サイディングに最適な建物用換気装置およびその取付方法を提供できるため、その産業上の利用可能性は大きい。
【図面の簡単な説明】
【００２５】
【図１】本発明の建物用換気装置の基台と屋外フードの組み合わせを示す模式的斜視図である。
【図２】本発明の建物用換気装置の基台の一部を示す模式的な拡大概略断面図である。
【図３】本発明の建物用換気装置の基台への屋外フードの取付け前の状態を示す模式的な側面図である。
【図４】本発明の建物用換気装置の使用状態を示す模式的な概略断面図である。
【図５】合成樹脂製サイディングの一例を示す斜視図である。
【符号の説明】
【００２６】
１  基台
２  屋外フード
３  通気パイプ受入孔
３'  通気パイプ保持部
４  下地材取付板部
５  立上り部
６  上面部
７  枠板状カバー部
８  基台取付枠板部
９  フード部
１０  取付孔
１１  切欠部
１２  通気パイプ
１３  溝
１４  係止棒
１５  凸部
１６  嵌入孔
１７  切欠孔
１８  突条部
１９  ビス止め孔
２０  傾斜板
２１  合成樹脂サイディング
２２  下地材  
【図１】
2007292369.tif 000003
【図２】
2007292369.tif 000004
【図３】
2007292369.tif 000005
【図４】
2007292369.tif 000006
【図５】
2007292369.tif 000007